(57)【特許請求の範囲】
【請求項１】
信号の入力を受けて該信号に応じた画像を表示する表示装置であって該画像を該信号と該表示装置の表示特性との双方に応じた色で表示する表示装置が接続され、該表示装置に向けて、単色図形を表す色票信号を出力する信号出力手段、
前記信号出力手段から出力された色票信号に応じて前記表示装置に表示された色の名前が操作に応じて入力される色名入力手段、および
前記信号出力手段から出力された色票信号と、前記色名入力手段に入力された名前とに基づいて前記表示装置の表示特性を求める表示特性同定手段を備え、
前記信号出力手段が、互いに名前が異なる色として知覚される複数の色に対応した複数のカテゴリカル領域のうちの色度図上互いに隣接するカテゴリカル領域の境界付近の色が表示装置の表示特性に応じた色度で表示されるような色票信号を出力するものであることを特徴とする表示特性認識装置。
【請求項２】
前記表示特性同定手段が、前記表示特性として、白色画像を表す信号とその信号に応じて前記表示装置に表示される画像の色との関係を求めるものであることを特徴とする請求項１記載の表示特性認識装置。
【請求項３】
前記表示装置が、複数の表示特性のうちのいずれかの表示特性に切替自在に設定されるものであって、
前記表示特性同定手段が、前記表示装置が現在設定されている表示特性を判定するものであることを特徴とする請求項２記載の表示特性認識装置。
【請求項４】
前記表示手段が、光を発することにより画像を表示するディスプレイであって、
前記表示特性同定手段が、前記表示特性として、ディスプレイの輝度を求めるものであることを特徴とする請求項１記載の表示特性認識装置。
【請求項５】
前記色名入力手段が、互いに名前が異なる色として知覚される複数の色の中から選択された色の名前が入力されるものであることを特徴とする請求項１記載の表示特性認識装置。
【請求項６】
前記信号出力手段が、各単色図形を表す複数の色票信号を前記表示装置に向けて出力するものであり、
前記色名入力手段が、複数の単色図形それぞれの色の名前が入力されるものであり、
前記表示特性同定手段が、前記信号出力手段から出力された複数の色票信号と、前記色名入力手段に入力された複数の名前とに基づいて、前記表示装置の表示特性を求めるものであることを特徴とする請求項１記載の表示特性認識装置。
【請求項７】
前記信号出力手段が、前記表示装置に向けて前記複数の色票信号のうちの１つの色票信号を出力し、その後、前記複数の色票信号のうちの、前記色名入力手段に入力された名前によって場合分けされた表示特性に応じた色票信号を該表示装置に向けてさらに出力するものであることを特徴とする請求項６記載の表示特性認識装置。
【請求項８】
前記信号出力手段が、前記表示装置に向けて色票信号を出力するとともに、該色票信号に応じて該表示装置に表示される単色図形の周囲に黒色を表示させる信号も該表示装置に向けて出力するものであることを特徴とする請求項１記載の表示特性認識装置。
【請求項９】
前記信号出力手段が、前記表示装置に向けて色票信号を出力するとともに、該色票信号に応じて該表示装置に表示される単色図形の周囲に灰色を表示させ更にその灰色の周囲に黒色を表示させる信号も該表示装置に向けて出力するものであることを特徴とする請求項１記載の表示特性認識装置。
【請求項１０】
前記信号出力手段が、色度図上互いに隣接する２つのカテゴリカル領域の境界付近における一連の色が表示されるような一連の色票信号を出力するものであり、
前記色名入力手段が、表示された一連の色の中から、前記２つのカテゴリカル領域の境界に相当する色が選択されるものであることを特徴とする請求項１記載の表示特性認識装置。
【請求項１１】
前記表示特性同定手段によって求められた表示特性を所定形式で表すデータを生成して、該データを含む、前記表示装置が画像を表示する特性を表すプロファイルを作成するプロファイル作成手段を備えたことを特徴とする請求項１記載の表示特性認識装置。
【請求項１２】
各表示特性を共通形式で表す各データそれぞれを含む各種類の、表示装置が画像を表示する特性を表すプロファイルを記憶するプロファイル記憶手段と、
前記プロファイル記憶手段に記憶されている各種類のプロファイルの中から１つのプロファイルを、前記表示特性同定手段によって求められた表示特性に基づいて選択するプロファイル選択手段を備えたことを特徴とする請求項１記載の表示特性認識装置。
【請求項１３】
コンピュータシステム上で実行されることにより該コンピュータシステムを、
信号の入力を受けて該信号に応じた画像を表示する表示装置であって該画像を該信号と該表示装置の表示特性との双方に応じた色で表示する表示装置に向けて、単色図形を表す色票信号を出力する信号出力手段、
前記信号出力手段から出力された色票信号に応じて前記表示装置に表示された色の名前が操作に応じて入力される色名入力手段、および
前記信号出力手段から出力された色票信号と、前記色名入力手段に入力された名前とに基づいて前記表示装置の表示特性を求める表示特性同定手段として動作させる表示特性認識プログラムが記憶されてなる、
前記信号出力手段が、互いに名前が異なる色として知覚される複数の色に対応した複数のカテゴリカル領域のうちの色度図上互いに隣接するカテゴリカル領域の境界付近の色が表示装置の表示特性に応じた色度で表示されるような色票信号を出力するものであることを特徴とする表示特性判定プログラム記憶媒体。
【請求項１４】
信号の入力を受けて該信号に応じた画像を表示する表示装置であって該画像を該信号と該表示装置の表示特性との双方に応じた色で表示する表示装置の表示特性を調整する表示特性調整装置において、
前記表示装置に向けて、互いに名前が異なる色として知覚される複数の色に対応した複数のカテゴリカル領域のうちの色度図上互いに隣接するカテゴリカル領域の境界付近の色が、前記表示装置の表示特性に応じた色度で該表示装置に表示されるような色票信号を出力する信号出力手段を備えたことを特徴とする表示特性調整装置。
【請求項１５】
コンピュータシステムに組み込まれ、該コンピュータシステムを、信号の入力を受けて該信号に応じた画像を表示する表示装置であって該画像を該信号と該表示装置の表示特性との双方に応じた色で表示する表示装置の表示特性を調整する表示特性調整装置として動作させる表示特性調整プログラムが記憶されてなる表示特性調整プログラム記憶媒体において、
前記表示特性調整プログラムが、互いに名前が異なる色として知覚される複数の色に対応した複数のカテゴリカル領域のうちの色度図上互いに隣接するカテゴリカル領域の境界付近の色が、前記表示装置の表示特性に応じた色度で該表示装置に表示されるような色票信号を該表示装置に向けて出力する信号出力手段として前記コンピュータシステムを動作させるものであることを特徴とする表示特性調整プログラム記憶媒体。
【発明の詳細な説明】
【０００１】
【発明の属する技術分野】
本発明は、表示装置の表示特性を求める表示特性認識装置と、コンピュータシステムをそのような表示特性認識装置として動作させる表示特性認識プログラムが記憶されてなる表示特性認識プログラム記憶媒体と、表示装置の表示特性を調整する表示特性調整装置と、コンピュータシステムをそのような表示特性調整装置として動作させる表示特性調整プログラムが記憶されてなる表示特性調整プログラム記憶媒体に関する。
【０００２】
【従来の技術】
近年、高機能パーソナルコンピュータの普及やスキャナ、カラープリンタといった画像入出力機器の低価格化により、業務用に限らず個人でもカラー画像を扱う機会が増えてきた。そして、個人でカラー画像を処理する機会が増加するにつれ、色の再現性が問題になってきた。つまり、原画像やディスプレイの表示画像やプリンタの印刷画像といった画像の相互間では画像の色を同じように再現できないという問題である。これは、ディスプレイ、プリンタ、スキャナといった異なるカラー入出力機器では発色機構や色再現域等の色特性が異なるためである。
【０００３】
このような異なる入出力装置の色の見えを合わせる技術としてカラーマネジメントシステム（以下、ＣＭＳ）が知られており、ＣＭＳを用いることで、スキャナで読み込んだ画像とディスプレイに表示した画像とで色の見え方を一致させたり、更にプリンタで出力した画像の色の見え方もスキャナで読み込んだ画像やディスプレイに表示した画像の色の見え方と一致させることができる。このように、ＣＭＳを用いると、画像に対する違和感をユーザに感じさせないシステムを構築することができる。
【０００４】
今日では、Ｗｉｎｄｏｗｓ９５のＩＣＭ１．０（Ｉｍａｇｅ  Ｃｌｏｌｏｒ  Ｍａｔｃｈｉｎｇ）やＭａｃｉｎｔｏｓｈのＣｏｌｏｒＳｙｎｃ２．０（いずれも商標）のようにオペレーティングシステム（ＯＳ）レベルでＣＭＳの枠組みが組み込まれている。そして、カラー入出力機器のメーカによって、ＩＣＭ１．０あるいはＣｏｌｏｒＳｙｎｃ２．０で用いられる所定形式のデバイスプロファイルがユーザに提供されることで、ユーザは、ディスプレイの表示画像およびプリンタの印刷画像のように、異なるデバイスの画像間でも違和感を感じない画像を得ることができる。ＩＣＭ１．０やＣｏｌｏｒＳｙｎｃ２．０のデバイスプロファイルは国際色彩コンソーシアム（Ｉｎｔｅｒｎａｔｉｏｎａｌ  Ｃｏｌｏｒ  Ｃｏｎｓｏｒｔｉｕｍ：ＩＣＣ）が提唱しているＩＣＣプロファイルに準拠している。従って、入出力機器メーカによってＩＣＣプロファイルの仕様に準じたデバイスプロファイルが提供されることで、Ｗｉｎｄｏｗｓ環境のユーザもＭａｃｉｎｔｏｓｈ環境のユーザも同じように、異なるデバイス間でも違和感を感じない画像を得ることができ、種々の入出力装置を色の見えに対して違和感なく使用することができる。以下、出力装置についてＣＭＳが用いられる場合について説明する。
【０００５】
現在、コンピュータ環境でＣＭＳが用いられる際には、出力装置の色表示特性が把握され、その色表示特性を示す情報を含んだＩＣＣプロファイルが用いられるのが一般的である。
【０００６】
図１は、ＩＣＣプロファイルの構成図である。
【０００７】
ＩＣＣプロファイルでは、必要なデータはすべてタグにより記述されている。ＩＣＣプロファイルは、ファイルサイズや作成日時といったプロファイルそのものに関する情報、および対象機器（出力装置）の機種等を示す情報が格納されるプロファイルヘッダ１と、出力装置の色表示特性を示す情報等が実際に格納されるタッグドエレメントデータ２と、タッグドエレメントデータ２のどこにどのような情報が格納されているかを示すタグテーブル３とに分けられる。プロファイルヘッダ１は１２８バイト固定長のデータであり、タッグドエレメントデータ２は可変長のデータである。また、タグテーブル３は、タッグドエレメントデータ２に格納されているタグ数（ｎ）を表すデータ３ａと、ｎ個のタグそれぞれについての、識別子、格納アドレス、サイズを各４バイトで表すデータ３ｂ，３ｃ，３ｄとを含んだ（４＋１２ｎ）バイトの可変長データである。
【０００８】
タッグドエレメントデータ２には、出力装置の標準白色情報として白のＣＩＥＸＹＺ値が、Ｄ５０を標準光源として規格化された値でｗｔｐｔタグに格納される。なお、出力装置の標準白色情報としては、白のＣＩＥＸＹＺ値の他、白色を黒体輻射に準えて指標する色温度も知られているが、タッグドエレメントデータ２には白のＣＩＥＸＹＺ値が格納される。また、白のＣＩＥＸＹＺ値と色温度とは周知の方法で互いに変換することができ、以下の説明では、白のＣＩＥＸＹＺ値と色温度とを区別せずに用いる場合がある。
【０００９】
また、タッグドエレメントデータ２には、出力装置によって再現可能な色の範囲を示す情報として、赤、緑、青各色のＣＩＥＸＹＺ値が、上記同様Ｄ５０を標準光源として規格化された値で、ｒＸＹＺタグ，ｇＸＹＺタグ，ｂＸＹＺタグに格納される。
【００１０】
さらに、タッグドエレメントデータ２には、出力装置の入力−出力特性（γ特性）を表す情報として、赤、緑、青各色のγ特性が、ｒＴＲＣタグ，ｇＴＲＣタグ，ｂＴＲＣタグに格納され、一般に、入力０から最大入力までの間がｎ等分された時の各階調値が格納される。
【００１１】
このように、表示装置のＩＣＣプロファイルのタッグドエレメントデータ２には、上述したような７種類の情報が格納されるのが一般的である。これらの情報は、特定の色画像データをディスプレイ等に入力して色画像を表示させ、その色を専用の測定器（測色器）を用いて測定することで得られる。
【００１２】
【発明が解決しようとする課題】
ＩＣＣプロファイルは、現在ではカラー機器メーカによって製品に添付されてユーザに提供されているが、カラー機器には、機器自体の差やユーザの使用環境による表示の違いなどがあるため、メーカが提供するＩＣＣプロファイルは、必ずしもユーザが使用している機器の特性を保持しているとはいえない。例えばディスプレイの場合では、製造ロットによる色表示特性の違いが生じることや、ディスプレイ本体の調整機能（コントラスト、ブライトネス、ＲＧＢバランス、色温度設定など）によってディスプレイの表示状態をユーザの好みで設定していることが多く、通常は、メーカが提供するディスプレイプロファイルは、実際にユーザが使用しているディスプレイに適合していない。つまり、ＣＭＳにおいて他のカラー機器との高精度な色合わせができず、高精度な色合わせを行うためには、ユーザのディスプレイを測定してディスプレイの色表示特性の情報を収集し、その情報からプロファイルを生成しなければならない。しかしながら、上述したように、ディスプレイの測定には専用の測定器が必要であり、そのような専用の測定器は高価な機器であるので一般的なユーザは所持していない。このため、そのような一般的なユーザは、表示装置の表示特性を求めてＩＣＣプロファイルを生成することや、表示装置の表示特性を適切に調整することができないという問題がある。
【００１３】
上記事情に鑑み、本発明は、上述したような測色器を所持していない一般的なユーザであっても表示装置の表示特性を求めることができる表示特性認識装置、コンピュータシステムをそのような表示特性認識装置として動作させる表示特性認識プログラムが記憶されてなる表示特性認識プログラム記憶媒体、上述したような一般的なユーザであっても表示装置の表示特性を適切に調整することができる表示特性調整装置、およびコンピュータシステムをそのような表示特性調整装置として動作させる表示特性調整プログラムが記憶されてなる表示特性調整プログラム記憶媒体を提供することを目的とする。
【００１４】
【課題を解決するための手段】
上記目的を達成する本発明の表示特性認識装置は、信号の入力を受けてその信号に応じた画像を表示する表示装置であってその画像をその信号と表示装置の表示特性との双方に応じた色で表示する表示装置が接続され、表示装置に向けて、単色図形を表す色票信号を出力する信号出力手段、
信号出力手段から出力された色票信号に応じて表示装置に表示された色の名前が操作に応じて入力される色名入力手段、および
信号出力手段から出力された色票信号と、色名入力手段に入力された名前とに基づいて表示装置の表示特性を求める表示特性同定手段を備えたことを特徴とする。
【００１５】
本発明の表示特性認識装置によれば、表示装置のユーザによって色名入力手段に色の名前が入力されると、表示特性同定手段によって表示特性が求められるので、上述した測色器を持たない一般的なユーザであっても表示特性を求めることが出来る。
【００１６】
本発明の表示特性認識装置は、上記表示特性同定手段が、上記表示特性として、白色画像を表す信号とその信号に応じて上記表示装置に表示される画像の色との関係を求めるものであってもよく、その場合には、上記表示装置が、複数の表示特性のうちのいずれかの表示特性に切替自在に設定されるものであって、
上記表示特性同定手段が、上記表示装置が現在設定されている表示特性を判定するものであることが好ましい。
【００１７】
白色画像を表す信号とその信号に応じて上記表示装置に表示される画像の色との関係は、例えば、黒体輻射に準えて温度で指標され、その温度は色温度と称される。そして、表示装置の色温度は、例えば、５０００Ｋ，６５００Ｋ，９３００Ｋといった代表的な色温度の中から選択的に設定されることが一般的であり、色温度の判定精度は、ディスプレイに設定された色温度が実際の色温度と合っているか否かを判別できれば充分である場合が多い。従って、これらの代表的な色温度の中のいずれの色温度に設定されているかを判定することによって簡単かつ正確に表示特性を求めることができる。
【００１８】
また、本発明の表示特性認識装置は、上記表示手段が、光を発することにより画像を表示するディスプレイであって、
上記表示特性同定手段が、上記表示特性として、ディスプレイの輝度を求めるものであってもよい。
【００１９】
また、本発明の表示特性認識装置は、上記信号出力手段が、互いに名前が異なる色として知覚される複数の色のうちの色度図上互いに隣接する色の隣接領域の色が表示特性に応じた色度で表示されるような色票信号を出力するものであることが好適である。
【００２０】
このような好適な表示特性認識装置を構成する信号出力手段が出力する色票信号に応じて表示装置に表示される色は、後で詳しく説明するように、表示特性の変化に対する色彩の変化が人間の視覚上顕著であるので、色の名前に基づいて求められる表示特性の精度が高い。
【００２１】
さらに、本発明の表示特性認識装置は、上記色名入力手段が、互いに名前が異なる色として知覚される複数の色の中から選択された色の名前が入力されるものであることが好ましい。
【００２２】
この好ましい構成の表示特性認識装置によれば、色名入力手段に入力される名前の選択肢が少なく、そのため、名前の選択が容易であるとともに、見当はずれな名前の入力が回避される。
【００２３】
さらにまた、本発明の表示特性認識装置は、上記信号出力手段が、各単色図形を表す複数の色票信号を上記表示装置に向けて出力するものであり、
上記色名入力手段が、複数の単色図形それぞれの色の名前が入力されるものであり、
上記表示特性同定手段が、信号出力手段から出力された複数の色票信号と、色名入力手段に入力された複数の名前とに基づいて表示装置の表示特性を求めるものであることが望ましく、このような望ましい構成の表示特性認識装置は、
上記信号出力手段が、上記表示装置に向けて上記複数の色票信号のうちの１つの色票信号を出力し、その後、上記複数の色票信号のうちの、上記色名入力手段に入力された名前に応じた色票信号を表示装置に向けてさらに出力するものであることが望ましい。
【００２４】
このような望ましい構成の表示特性認識装置は、複数の色票信号と複数の名前とに基づいて表示特性が求められるので表示特性が高い精度で求められる。
【００２５】
また、本発明の表示特性認識装置は、上記信号出力手段が、上記表示装置に向けて色票信号を出力するとともに、その色票信号に応じて表示装置に表示される単色図形の周囲に黒色を表示させる信号も表示装置に向けて出力するものであることが好適であり、
上記信号出力手段が、上記表示装置に向けて色票信号を出力するとともに、その色票信号に応じて表示装置に表示される単色図形の周囲に灰色を表示させ更にその灰色の周囲に黒色を表示させる信号も該表示装置に向けて出力するものであることも好適である。
【００２６】
これらの好適な構成の表示特性認識装置によれば、表示装置に表示される単色図形の周囲に無彩色の色が表示されるので、単色図形の純粋な色彩がユーザによって知覚されて名前が入力されることとなり、表示特性が高い精度で求められる。また、例えば液晶ディスプレイ（Ｌｉｑｕｉｄ  Ｃｒｙｓｔａｌ  Ｄｉｓｐｌａｙ：ＬＣＤ）等のように単色図形の周囲からの漏れ光を避ける必要がある場合には、単色図形の周囲には黒色が表示されるのが望ましく、後で詳しく説明するように、色の見えのモードを表面色モードに統一する必要がある場合には、単色図形の周囲には灰色が表示されるのが望ましい。
【００２７】
また、本発明の表示特性認識装置は、上記信号出力手段が、色度図上互いに隣接する２種類の色の隣接領域における一連の色が表示されるような一連の色票信号を出力するものであり、
上記色名入力手段が、表示された一連の色の中から、２種類の色の境界に相当する色が選択されるものであってもよい。
【００２８】
さらに、本発明の表示特性認識装置は、上記表示特性同定手段によって求められた表示特性を所定形式で表すデータを生成し、そのデータを含む、上記表示装置が画像を表示する特性を表すプロファイルを作成するプロファイル作成手段を備えることが好ましく、
本発明の表示特性認識装置は、各表示特性を共通形式で表す各データそれぞれを含む各種類の、表示装置が画像を表示する特性を表すプロファイルを記憶するプロファイル記憶手段と、
プロファイル記憶手段に記憶されている各種類のプロファイルの中から１つのプロファイルを、上記表示特性同定手段によって求められた表示特性に基づいて選択するプロファイル選択手段を備えることも好ましい。
【００２９】
プロファイル作成手段やプロファイル選択手段を備えた表示特性認識装置によれば、表示装置に適したプロファイルが求められるので、この表示装置に表示される色の見え方と、他の表示装置などに表示される色の見え方がＣＭＳによって一致されることとなる。
【００３０】
上記目的を達成する本発明の表示特性判定プログラム記憶媒体は、信号の入力を受けてその信号に応じた画像を表示する表示装置であってその画像をその信号と表示装置の表示特性との双方に応じた色で表示する表示装置に向けて、単色図形を表す色票信号を出力する信号出力手段、
信号出力手段から出力された色票信号に応じて表示装置に表示された色の名前が操作に応じて入力される色名入力手段、および
信号出力手段から出力された色票信号と、色名入力手段に入力された名前とに基づいて表示装置の表示特性を求める表示特性同定手段を備えた表示特性認識プログラムが記憶されてなることを特徴とする。
【００３１】
また、上記目的を達成する本発明の表示特性調整装置は、信号の入力を受けてその信号に応じた画像を表示する表示装置であってその画像をその信号と表示装置の表示特性との双方に応じた色で表示する表示装置の表示特性を調整する表示特性調整装置において、
表示装置に向けて、互いに名前が異なる色として知覚される複数の色のうちの色度図上互いに隣接する色の隣接領域に属する、表示装置の表示特性に応じた色がその表示装置に表示されるような色票信号を出力する信号出力手段を備えたことを特徴とする。
【００３２】
本発明の表示特性調整装置によれば、色票信号に応じて表示装置に表示される色は、後で詳しく説明するように、表示特性の変化に対する色彩の変化が人間の視覚上顕著であるので、その色彩の変化を目安にして表示特性を適切に調整することができる。
【００３３】
また、上記目的を達成する本発明の表示特性調整プログラム記憶媒体は、コンピュータシステムに組み込まれ、そのコンピュータシステムを、信号の入力を受けてその信号に応じた画像を表示する表示装置であってその画像をその信号と表示装置の表示特性との双方に応じた色で表示する表示装置の表示特性を調整する表示特性調整装置として動作させる表示特性調整プログラムが記憶されてなる表示特性調整プログラム記憶媒体において、
上記表示特性調整プログラムが、互いに名前が異なる色として知覚される複数の色のうちの色度図上互いに隣接する色の隣接領域に属する、上記表示装置の表示特性に応じた色がその表示装置に表示されるような色票信号をその表示装置に向けて出力する信号出力手段を備えたものであることを特徴とする。
【００３４】
なお、上記本発明の表示特性認識装置および表示特性調整装置と、上記表示特性認識プログラムおよび表示特性調整プログラムとでは、それらを構成する構成要素名として、信号出力手段等といった互いに同一の名称を付しているが、表示特性認識装置および表示特性調整装置の場合は、そのような作用をなすソフトウェアとハードウェアとの結合を指し、表示特性認識プログラムおよび表示特性調整プログラムの場合は、そのような作用をなすソフトウェアの部分のみを指している。
【００３５】
【発明の実施の形態】
以下、本発明の実施形態を説明するに当たり、先ず、本発明の原理について説明し、その後、具体的な実施形態について説明する。また、以下の説明では、表示装置としてディスプレイが用いられる場合を例にとって説明する。
【００３６】
図２は、人間によって知覚される色の分布を示す色度図である。
【００３７】
この色度図の縦軸および横軸は、ｘ＝Ｘ／（Ｘ＋Ｙ＋Ｚ），ｙ＝Ｙ（Ｘ＋Ｙ＋Ｚ）なる関係式でＣＩＥＸＹＺ値（Ｘ，Ｙ，Ｚ）が規格化されてなるいわゆるｘｙ色度値を示しており、明度を考慮しない場合にはこの色度図上の一点が１つの色を表す。また、この色度図に示されている三角形の領域１０は、ディスプレイによって再現可能な色の領域であり、三角形の領域の各頂点１０ａ，１０ｂ，１０ｃは、ディスプレイに入力されたＲＧＢ値が（０，０，２５５），（０，２５５，０），（２５５，０，０）である場合にディスプレイによって表示される色を示している。また、その三角形の領域１０を覆う広い領域２０は、人間が知覚することが出来る色の領域である。
【００３８】
色に対する人間の知覚能力を示すものとして、カテゴリカル色知覚と称される知覚方法が知られており、カテゴリカル色知覚では、人間に知覚される色は、人種、地域、国籍によらず１１色や１３色程度に分類されて知覚されるということが示されている。以下では、一例として１１色に分類されるものとして説明する。カテゴリカル色知覚が指定している１１色は、”白”，”橙”，”茶”，”灰”，”黄”，”紫”，”桃”，”赤”，”緑”，”青”，”黒”であり、この色度図では、上述した三角形の領域１０は、点線で、青、緑、茶、橙、赤、桃、紫、灰の８色に領域分けされている。これらの８つの領域１１，１２，１３，１４，１５，１６，１７，１８のことを以下ではカテゴリカル領域と称する。この色度図の”灰”のカテゴリカル領域１８には”白”および”黒”が含まれている。また、この色度図では”黄”のカテゴリカル領域が省略されているが、色の明度も考慮すると”黄”のカテゴリカル領域は、”緑”のカテゴリカル領域１２と”茶”のカテゴリカル領域１３との間に存在する。本図は「開口色モードと表面色モードにおける色空間のカテゴリカル色名領域」（内川恵二他著：照明学会誌第７７巻第６号ｐｐ３４６−３５４）を参考にして作成した。人間は、ＣＩＥＸＹＺ値等が互いに異なる種々の色であっても、それらの色がこの色度図上の１つのカテゴリカル領域に属しているとそれらの色をカテゴライズして同じ種類の色としてみなしてしまう特性を持っている。逆に言えば、色度図上は互いに近くに存在する色であっても、カテゴリカル領域どうしの境界を越えてしまった場合には、人間はそれらの色を互いに全く異なる種類の色とみなしてしまうということである。
【００３９】
ところで、ディスプレイに入力されたＲＧＢ値と、ディスプレイ上に表示された色のＣＩＥＸＹＺ値は、以下の関係式で近似される関係を有している。
【００４０】
【数１】
0004427125.tif 000002
【００４１】
ここで、Ｒ，Ｇ，Ｂは、ディスプレイに入力されたＲＧＢ値を表している。また、ＸR，ＹR，ＺRは赤のＣＩＥＸＹＺ値、ＸG，ＹG，ＺGは緑のＣＩＥＸＹＺ値、ＸB，ＹB，ＺBは青のＣＩＥＸＹＺ値を表している。さらに、γR，γG，γBは赤，緑，青のγ係数値を表し、Ｘ，Ｙ，Ｚは出力のＣＩＥＸＹＺ値を表している。
【００４２】
ここでディスプレイの色温度が変わると、上記関係式（１）の左辺に示される行列を構成する値が変わって、ディスプレイ上に表示された色のＣＩＥＸＹＺ値の構成比が変わることが知られている。これはすなわち、ディスプレイに入力されたＲＧＢ値が一定であっても、ディスプレイ上に表示される色の見え方が変わることを意味する。色温度が低くなると、白は赤っぽく、青は紫っぽくなる。
【００４３】
また、表示輝度の変化によっても色の見えは変わる。色の明るさと色の見えの関係については、ベツォルト・ブリュッケ現象が知られており、このベツォルト・ブリュッケ現象では、色光（輝度）が強くなると青緑黄赤以外の有彩色の青又は黄味が増し、逆に色光が弱くなると緑赤味が増す。
【００４４】
このように、同じ色データ（ＲＧＢ値）がディスプレイに入力された場合であっても、ディスプレイに表示される色の見え方はディスプレイの色温度や表示輝度に応じて変わる。この結果、例えば、あるＲＧＢ値Ｘに応じてディスプレイに表示された色のｘｙ色度値が、ある色温度ＣＴ1においては青のカテゴリカル領域内にあり、別の色温度ＣＴ2においては紫のカテゴリカル領域内に位置した場合、ディスプレイのユーザはこの両者を違う色と認識することとなる。すなわち、このＲＧＢ値Ｘをディスプレイに入力して表示させたとき、ユーザが表示色を紫と認識するか青と認識するかによって、このディスプレイの現在の色温度が、色温度ＣＴ1であるか色温度ＣＴ2であるかを判定することが可能となる。つまり、ＲＧＢ値Ｘおよびそれに応じた表示色は、ディスプレイの色温度を判定するための基準として用いることができる。同様に、輝度を求める場合も、あるＲＧＢ値を基準としてディスプレイに入力して表示させ、その表示色をユーザが何色と認識したかに従って輝度を求めることができる。以下の説明では、基準として用いられるＲＧＢ値と、それに応じた表示色で表示される図形との双方を特に区別せずに「色票」と称する。互いに隣接するカテゴリカル領域の境界付近の表示色は、ディスプレイ設定（色温度や表示輝度）等の変化によって表示色の見えが顕著に変わるため、このような表示色を表示させるようなＲＧＢ値を色票として使用するとよい。具体例を以下に示す。
【００４５】
色温度を表示色の見た目で判断するための色票の例としては、例えば青と紫の各カテゴリカル領域の境界付近の色が考えられる。具体的には、ＲＧＢ値が（Ｒ，Ｇ，Ｂ）＝（７５，０，２５５）である単色図形の表示色は、色温度が５０００Ｋの場合には紫の領域に位置しており、９３００Ｋでは青の領域に移動するので、このようなＲＧＢ値は、色温度を求めるための色票として好適である。
【００４６】
ＲＧＢ値が（Ｒ，Ｇ，Ｂ）＝（７５，０，２５５）である色票をディスプレイに表示し、その表示色を測色器で測定した結果を図３と表１に示す。
【００４７】
【表１】
0004427125.tif 000003
【００４８】
この表１のＸ欄，Ｙ欄，Ｚ欄には、色温度が５０００Ｋ，６５００Ｋ，９３００Ｋである場合における各表示色のＣＩＥＸＹＺ値の測定値が示されており、ｘ欄，ｙ欄には、ＣＩＥＸＹＺ値の測定値から計算されたｘｙ色度値が示されている。
【００４９】
図３は、表１に示す測定結果を示す、ｘｙ色度図（Ａ）およびＣＩＥＬＡＢ空間の色度図（Ｂ）である。
【００５０】
図３（Ａ）は、図２同様のｘｙ色度図であり、ディスプレイによって再現可能な色の領域１０と、人間によって知覚可能な色の領域２０が図２同様に示されている。また、図３（Ａ）には、青のカテゴリカル領域と紫のカテゴリカル領域との境界が直線Ｌで示されており、色温度が５０００Ｋ，６５００Ｋ，９３００Ｋである場合における各表示色の色度図上の位置が色温度とともに四角の印で示されている。
【００５１】
図３（Ｂ）の縦軸および横軸は、それぞれＣＩＥＬＡＢのａ*値およびｂ*値を示しており、カテゴリカル知覚で指定される１１色の分布が１１種類の印で示されている。また、この図３（Ｂ）には、色温度が５０００Ｋ，９３００Ｋである場合における各表示色の位置が色温度とともに星形の印で示されている。
【００５２】
これらの色度図に示された測定結果から、ＲＧＢ値が（Ｒ，Ｇ，Ｂ）＝（７５，０，２５５）である色票の表示色は、色温度が５０００Ｋの場合には紫のカテゴリカル領域に属しており、色温度が６５００Ｋ，９３００Ｋである場合には青のカテゴリカル領域に属していることが分かった。
【００５３】
ここで、ＲＧＢ値が（Ｒ，Ｇ，Ｂ）＝（７５，０，２５５）である色票をディスプレイ上に表示し、ディスプレイの色温度を５０００Ｋと９３００Ｋに設定して、各色温度における色票の色名を挙げてもらう実験を行った。この実験結果を表２に示す。
【００５４】
【表２】
0004427125.tif 000004
【００５５】
実験の結果、８人中６人が、色温度９３００Ｋでは上記色票の色を「青」と答え、色温度５０００Ｋでは「紫」と答えた。また、８人中２人はどちらも青と答えた。全員が同じ結果にはならなかったものの、７５％の人が５０００Ｋのときは紫と答えている。つまり、ＲＧＢ値が（Ｒ，Ｇ，Ｂ）＝（７５，０，２５５）である色票の色名として「青」が選択された場合には色温度は９３００Ｋ付近であると判定し、色名として「紫」が選択された場合には色温度は５０００Ｋ付近であると判定することにより、色温度が５０００Ｋ付近であるか９３００Ｋ付近であるかを約７５％の正確さで判定することができることが分かった。１つの色票だけでなく、上述したようなカテゴリカル境界付近の色を表示する色票を複数用いることで、色温度をより正確に求めることができる。
【００５６】
さらに、このような色票の表示色を頼りにディスプレイの色温度やＲＧＢバランスなどを調整することにより適切な調整を行うことができる。
【００５７】
以上で本発明の原理についての説明を終了し、以下では本発明の実施形態について説明する。先ず、ディスプレイの色温度を求めてプロファイルを生成する第１実施形態について説明する。
【００５８】
図４は、本発明の表示特性認識装置の第１実施形態を示す図である。
【００５９】
この表示特性認識装置３０は、コンピュータシステムで構成されており、ＣＰＵ、ＲＡＭメモリ、ハードディスク、通信ボード等を内蔵した本体３１、本体３１からの指示により蛍光面３２ａに画面表示を行うＣＲＴディスプレイ３２、このコンピュータシステム内にオペレータの指示や文字情報を入力するためのキーボード３３、蛍光面３２ａ上の任意の位置を指定することによりその位置に表示されていたアイコン等に応じた指示を入力するマウス３４を備えている。ＣＲＴディスプレイ３２は、本実施形態の一部であるとともに、本発明によって表示特性が認識される対象である表示装置の一例でもある。
【００６０】
本体３１は、さらに、外観上、フロッピィディスクやＣＤＲＯＭ４０が装填されるフロッピィディスク装填口３１ａおよびＣＤＲＯＭ装填口３１ｂを有しており、その内部には、装填されたフロッピィディスクやＣＤＲＯＭ４０をドライブする、フロッピィディスクドライバ、ＣＤＲＯＭドライバも内蔵されている。
【００６１】
ここでは、ＣＤＲＯＭ４０に、本発明にいう表示特性認識プログラムが記憶されており、このＣＤＲＯＭ４０がＣＤＲＯＭ装填口３１ｂから本体３１内に装填され、ＣＤＲＯＭドライバによりそのＣＤＲＯＭ４０に記憶された表示特性認識プログラムがこのコンピュータシステムのハードディスク内にインストールされる。このコンピュータシステムのハードディスク内にインストールされた表示特性認識プログラムが起動されると、このコンピュータシステムは、本発明の表示特性認識装置の一実施形態として動作する。
【００６２】
従って、表示特性認識プログラムが記憶されたＣＤＲＯＭ４０は、本発明の表示特性認識プログラム記憶媒体の一実施形態に相当する。
【００６３】
また、このＣＤＲＯＭ４０に記憶された表示特性認識プログラムは、上記のようにしてコンピュータシステムのハードディスク内にインストールされるが、その表示特性認識プログラムがインストールされた状態のハードディスクも、本発明の表示特性認識プログラム記憶媒体の一形態に相当する。
【００６４】
さらに、その表示特性認識プログラムがフロッピィディスク等にダウンロードされるときは、そのダウンロードされた表示特性認識プログラムを記憶した状態にあるフロッピィディスク等も、本発明の表示特性認識プログラム記憶媒体の一実施形態に相当する。
【００６５】
図５は、図４に示す外観を有する表示特性認識装置（コンピュータシステム）の機能ブロック図である。
【００６６】
図５には、カテゴリカル領域の分布等に基づいて定めた所定数の色票それぞれのＲＧＢデータ等を保持する色票データ保持部５１と、色票データ保持部５１に保持されているデータを取得して、図４に示すＣＲＴディスプレイ３２に向けて出力する色票データ出力部５２が示されており、この色票データ出力部５２は、本発明にいう色票信号出力部の一例である。色票データ保持部５１は、具体的には例えばハードディスクやＣＤＲＯＭであり、色票データ出力部５２は、いわゆるディスプレイカードおよびデバイスドライバを含むものである。但し、色票は必ずしもコンピュータシステム内部に保持されている必要はなく、例えば、コンピュータシステムがネットワークに接続されていて、遠隔地のサーバから適宜ネットワーク経由で色票が転送されてもよい。
【００６７】
また、この図５には、色票の色の名前が入力される色名入力部５３が示されており、ユーザは、ＣＲＴディスプレイ３２に表示された色票を見て、それが何色であるかを判断し、図４に示すキーボード３３およびマウス３４を操作することによって色の名前を入力する。
【００６８】
また、この図５には、いくつかの代表的なディスプレイ特性（色温度）それぞれを具体的な数値等で表す複数の特性情報を保持する特性保持部５４が示されており、色票データ出力部５２から出力された色票のデータと色名入力部５３に入力された名前とに基づいて、特性保持部５４に保持されている代表的な色温度の中でディスプレイ３２の色温度として適切なものを判定するディスプレイ特性判定部５５も示されている。このディスプレイ特性判定部５５は、本発明にいう表示特性同定手段の一例であり、特性情報を判定結果に応じて特性保持部５４から取得する。また、このディスプレイ特性判定部５５は、色名入力部５３に入力された名前に応じた色票を色票データ出力部５２に指定してその色票データを出力させ、色票データを一通り出力させた後で表示特性の判定を行う。
【００６９】
さらに、この図５には、ディスプレイ特性判定部５５から特性情報を取得してプロファイルを作成するプロファイル作成部５６が示されている。また、このプロファイル作成部５６は、プロファイルを作成するために必要な、色温度の情報を除く情報も、後述するように取得する。
【００７０】
図６は、図４および図５に示す第１実施形態の動作手順を表すフローチャートである。以下、図７〜図１４を適宜参照しながら図６のフローチャートを説明する。
【００７１】
この第１実施形態の動作が開始されると、先ず、ＩＣＣプロファイルの作成に必要な、上述した、出力装置によって再現可能な色の範囲を示す情報である、赤、緑、青各色のＣＩＥＸＹＺ値（色度値）が求められる。赤，緑，青の色度値は、ＣＲＴやＬＣＤといったディスプレイの種類には大きく依存するが、機種にはあまり依存しないことが知られている。したがって、赤，緑，青の色度値を求めるためにはディスプレイの機種が判れば充分である。また、図４にはＣＲＴディスプレイが示されているが、コンピュータシステムのディスプレイとしてはＣＲＴディスプレイの他ＬＣＤやＰＤＰ等も用いられる可能性がある。第１実施形態では、ステップＳ１０１において、ユーザによってディスプレイの種類が選択され、その選択された種類に応じた色度値が求められる。
【００７２】
図７は、図６のステップＳ１０１においてディスプレイに表示される表示画面を示す図である。
【００７３】
この図７にはディスプレイ３２が示されており、ディスプレイ３２には、「このディスプレイはＣＲＴですか、ＬＣＤですか？」「ボタンを押して下さい。」という文字列６０が表示され、ディスプレイの種類としてＣＲＴを選択するボタン６１と、ＬＣＤを選択するボタン６２も表示される。これらのボタン６１，６２がクリックされることによってディスプレイの種類が選択される。
【００７４】
この図７に示した表示画面は一例であり、色度値をより厳密に求める必要がある場合には、ユーザに機種を選択させるとともにメーカを指定させてもよい。また、色度値のメーカ依存性は、ＣＲＴの場合よりもＬＣＤの場合の方が大きいため、ＬＣＤの場合だけメーカまで指定させてもよい。さらに、Ｗｉｎｄｏｗｓ９５では、HKEY＿LOCAL＿MACHINE/System/CurrentControlSet/Services/class/monitor/0000なるレジストリの中にディスプレイに関する情報を格納している項目がある。そこで、Ｗｉｎｄｏｗｓ９５に対応させる場合には、図７に示すような選択画面は表示せずにこのレジストリを検索してディスプレイ名称を取得し、ディスプレイ名称からそのディスプレイがＣＲＴであるか、ＬＣＤであるか、またはＰＤＰであるかを判別してもよい。
【００７５】
ディスプレイの種類がユーザによって選択されると、図６のステップＳ１０２〜ステップＳ１０６において、上述した本発明の原理に基づいて色温度が求められる。先ず、ステップＳ１０２に進み、図５に示す色票データ保持部５１に保持されているデータが色票データ出力部５２によって取得されてディスプレイに向けて出力されることにより色票が表示される。
【００７６】
図８は、色票がディスプレイに表示された様子を示す図である。
【００７７】
この図８には、ディスプレイ３２が示されており、ディスプレイ３２には、「この色は何色に見えますか？見える色のボタンを押して下さい。」という文字列７０が上方に表示され、中央に正方形の色票７１が表示され、下方に、色名を選択するための１１個のボタン７２が表示される。これら１１個のボタンのなかから選択された１個のボタンがクリックされることによって色票７１の表示色に応じた色名が選択されて、図５に示す色名入力部に入力される（図６のステップＳ１０３）。但し、これら１１個のボタン７２は、表示されている色票の種類に応じた一部のボタンだけがアクティブである。これは、例えば、青のカテゴリカル領域に属する色が、隣接するカテゴリカル領域（緑，白，灰，黒，青，紫）の色に変わることはあっても、離れたカテゴリカル領域（桃，赤，黄，茶）の色にはなり難いからである。このように一部の色名のみがアクティブであると、選択肢の数が少なくなって、ユーザによる選択の労力が軽減される。
【００７８】
色名の入力方法としては、ユーザが自由な色名をキーボードによって入力する方法も考えられる。その場合には、多種多様な色名それぞれが表す各色が１１色のカテゴリカル色のうちのどのカテゴリカル色に属する色であるかを表した辞書が用意され、その辞書によって、ユーザが入力した色名が、１１色のカテゴリカル色のうちのいずれか１つのカテゴリカル色に丸め込まれ、その１つのカテゴリカル色が選択されたものとして取り扱われる。また、互いに隣接する２つのカテゴリカル領域に亘る一連の色が表示されるような一連の色票を表示して、２つのカテゴリカル色の境界に相当する色票を選択させる方法も考えられる。
【００７９】
図９は、一連の色票を表示して境界に相当する色票を選択させる画面を示す図である。
【００８０】
この図９には、図の左右方向に並んだ５つの色票８０，８１，８２，８３，８４が示されており、これら５つの色票８０，８１，８２，８３，８４の表示色は緑から青までに亘る一連の色であり、ここでは、図の左ほど緑、右ほど青に近い色であるものとする。また、この図９の上方には、「下の色は緑から青へと変わっています。どこから緑に見えますか？」という文字列８５が示されており、ユーザによって、５つの色票８０，８１，８２，８３，８４のうちから選択された１つの色票がクリックされることにより、クリックされた色票から左側の各色票の色名として緑が入力され、それらを除く色票の色名として青が入力されたことと等価になる。
【００８１】
ところで、色票の周囲は黒色あるいは灰色であることが好ましい。
【００８２】
図１０は、色票の周囲が黒色である場合（Ａ）と、灰色である場合（Ｂ）とを示す図である。
【００８３】
図１０（Ａ）では、全面黒の背景９１の中央に、色票９０が単独で表示されており、一方、図１０（Ｂ）では、灰色の縁９２が付された色票９０が表示されている。
【００８４】
図１０（Ａ）に示すように、黒色背景の上に色票が単独で表示されると、黒背景には、色の知覚を邪魔するような色彩がないため、ユーザは周りの色に惑わされることなく、色票の表示色から受ける印象のみに基づいて色名を決定することができる。また、他の色による映り込み（ディスプレイ上のもれ光など）も生じないため、ユーザは、表示された色票の純粋な色を観察することができる。
【００８５】
また、図１０（Ｂ）に示すように、灰色の縁が付け加えられた色票が黒色背景の上に表示される場合であっても、灰色が無彩色であるので、色票の表示色から受ける印象のみに基づいて色名が決定される。
【００８６】
ところで、単色からなる図形を黒色背景上に表示した場合、ディスプレイ表面にその図形が張り付いているのではなく、ディスプレイ表面に穴が開いて、ディスプレイの奥が見えているように錯覚することがある。これはディスプレイが色を発光表示していることに起因している。ディスプレイ表面に図形が張り付いて見える見え方は、ディスプレイの表面色モードと称され、これに対して、ディスプレイに穴が開いて奥が見えているように感じる見え方は、開口色モードと称される。
【００８７】
色票を図１０（Ａ）に示すように表示すると、ある場合には色票の見えは開口色モードになり、また、ある場合には表面色モードになる。一方、図１０（Ｂ）に示すように色票を表示すると色票の見えは常に表面色モードになることが知られている（「開口色モードと表面色モードにおける色空間のカテゴリカル色名領域」内川恵二  他著  照明学会誌第７７巻第６号ｐｐ３４６−３５４参照）。また、互いに同じＣＩＥＸＹＺ値を有する表示色であっても、モードが異なると互いに違う色に認識されてしまう場合がある。このため、色票の色の見えに基づいて表示装置の表示特性を認識し、ＣＭＳ等によって複数の表示装置における各表示色の見え方を互いに一致させる場合は、色票の色の見え方のモードが統一される必要がある。表示色の一致が計られる表示装置としてディスプレイのみが考慮される場合には、図１０（Ａ）、図１０（Ｂ）のうちのいずれかの色票表示形式に統一されていれば特に問題ない。しかし、印刷物の見えとディスプレイ表示の見えとの一致が計られる場合には、印刷物の色の見えは常に表面色モードであるため、ディスプレイ表示の見えも表面色モードに統一される必要があり、その場合には、図１０（Ｂ）に示すような表示形式が望ましい。
【００８８】
このように図６のステップＳ１０３において色名が選択されると、図６のステップＳ１０４に進み、一連の色票が全て終了したか否かが判定され、終了していないと判定されるとステップＳ１０５に進み、次に表示されるべき色票が決定されてステップＳ１０２に戻る。その後ステップＳ１０２〜ステップＳ１０４が繰り返される。
【００８９】
ステップＳ１０４において、色票が全て終了したと判定された場合は、ステップＳ１０６に進み、図５に示すディスプレイ特性判定部５５によってディスプレイの表示特性が判定され特性保持部５４から判定結果に応じた特性情報が取得される。
【００９０】
図１１は、色票が選択されて表示特性が判定される手順の一例を示す図である。
【００９１】
この図１１には５種類の色票によって表示特性が７種類に場合分けされる手順が示されており、１つのディスプレイの表示特性を判定するに当たり２つあるいは３つの色票が用いられる。
【００９２】
場合分けの手順は図の左側から右側へと進む。手順の最初には常に第１の色票の表示（Ｓ１０２＿１）が行われ、この第１の色票の色名として青または緑が選択され、選択された色名に応じて第２の色票の表示（Ｓ１０２＿２）または第３の色票の表示（Ｓ１０２＿３）が行われる。第２の色票の色名としては青または紫が選択され、選択された色名に応じて第４の色票の表示（Ｓ１０２＿４）または第５の色票の表示（Ｓ１０２＿５）が行われる。第４の色票の色名の選択に応じて、表示特性が第１のディスプレイ特性あるいは第２のディスプレイ特性であると判定され、第５の色票の色名の選択に応じて、表示特性が第３のディスプレイ特性あるいは第４のディスプレイ特性であると判定される。また、上記第３の色票の色名として赤または茶または橙が選択され、その選択に応じて、表示特性が第５、第６、第７のディスプレイ特性であると判定される。
【００９３】
このような判定結果に応じて、図５に示す特性保持部から具体的な色温度を表す色度値が特性情報として取得される。
【００９４】
上述したような手順で色温度を厳密に求めるためには、十数から数十あるいはそれ以上の色票が必要である。しかし、ディスプレイの色温度設定は、５０００Ｋ、６５００Ｋ、９３００Ｋ等という代表的な色温度に設定できるようになっており、例えば５０００Ｋという色温度は、一般の蛍光燈照明の下での色温度に相当しており、一般的な環境を想定した色合わせが行われる場合にはディスプレイの色温度は５０００Ｋに設定されることが多い。しかし、ディスプレイによって表示される色は、ディスプレイ本体と制御側（例えばパーソナルコンピュータのグラフィックカード）との組み合わせによって決定される。このため、ディスプレイに設定される色温度の値は目安程度の精度しかなく、例えばディスプレイ上の設定を６５００Ｋとしても、グラフィックカードとの組み合わせによっては実際は５０００Ｋであったり、逆に８０００Ｋである場合がある。ディスプレイに設定された色温度が実際の色温度と合っているか否かを判別できればよい場合には、上述した５０００Ｋ、６５００Ｋ、９３００Ｋ等という代表的な色温度が互いに区別されるような一連の色票を用いて表示特性を場合分けし、その場合分けの結果に応じて、代表的な色温度のうちのいずれかの色温度を取得することによって、ディスプレイの色温度を少ない色票で充分に精度よく求めることができる。
【００９５】
また、図１１には７種類のディスプレイ特性に場合分けされる様子が示されているが、これら７種類のディスプレイ特性それぞれに応じた色温度は互いにすべて相違している必要はない。例えば、第２の色票のＲＧＢ値が、上述したＲＧＢ値（Ｒ，Ｇ，Ｂ）＝（７５，０，２５５）である場合には、この第２の色票の見た目によって色温度が正しく区別される可能性は約７５％であるので、その後の色票の色名選択によって区別が修正されることが望ましい。
【００９６】
図６のステップＳ１０６においてディスプレイの表示特性が判定されていろ温度が取得されると、ステップＳ１０７およびステップＳ１０８においてγ特性の判別が行われる。ステップＳ１０７ではγ特性判別用の画像がディスプレイに表示される。
【００９７】
図１２は、γ特性判別用の画像を示す図である。
【００９８】
この図にはディスプレイ３２が示されており、ディスプレイ３２には、黒、白が１ラインづつ繰り返される横線画像１０１と、明度が互いに異なる複数の濃淡グレー画像１０２が表示される。また、それらの画像１０１，１０２の上方には、「横線画像と同じ明るさに見える濃淡画像を選択して下さい。」という文字列１０３が表示され、複数の濃淡グレー画像１０２の中からユーザによって、横線画像１０１と同じ明るさに見える濃淡グレー画像が選択される（図６のステップＳ１０８）。
【００９９】
図１３は、ディスプレイの入出力特性の一例を表すグラフである。
【０１００】
グラフの横軸は入力のＲＧＢ値を示し、縦軸は規格化された出力を示している。入力のＲＧＢ値をＸ、出力をＹとすると、ディスプレイの入出力特性を表す曲線ＭはＹ＝Ｘ^γで近似される。
【０１０１】
図１２に示す黒白１ラインづつの横線画像１０１は、出力０．５に相当し、この横線画像１０１と同じ明るさの濃淡グレー画像１０２のＲＧＢ値が（Ｒ，Ｇ，Ｂ）＝（Ｎ，Ｎ，Ｎ）であったとき、以下の近似式で表される関係が成り立つ。
【０１０２】
【数２】
0004427125.tif 000005
【０１０３】
この近似式（２）からγ係数を算出することができる。例えば、ＲＧＢ値が（１７２，１７２，１７２）である濃淡グレー画像と横線画像が同じ明るさに見えたときは、０．５＝（１７２／２５５）^γ＝０．６７４５^γを解いてγ≒１．７５が得られ、γ係数値は≒１．７５となる。
【０１０４】
このように、図６のステップＳ１０１〜ステップＳ１０８において、ＩＣＣプロファイル作成に必要な上述した情報を取得することができる。その後ステップＳ１０９に進み、これらの情報を元に、ＩＣＣプロファイルが作成され、ユーザが使用しているディスプレイに即したプロファイルが提供される。
【０１０５】
図１４は、ＩＣＣプロファイルの具体例を示す図である。
【０１０６】
このＩＣＣプロファイルは、上述したように、プロファイルヘッダ１と、タッグドエレメントデータ２と、タグテーブル３で構成されている。プロファイルヘッダ１およびタグテーブル３については、上述した説明以上の説明は省略する。
【０１０７】
この図１４に示すＩＣＣプロファイルのタッグドエレメントデータ２には、上述した標準白色情報として白のＣＩＥＸＹＺ値等のデータの他、ディスプレイ自身に関するデータが格納されている。このディスプレイ自身に関するデータはすべて文字列であり、ここでは、「Ｆｕｊｉｔｓｕ」という文字列がｄｅｓｃタグ１１０に格納され、「Ｓａｍｐｌｅ」という文字列がｄｍｎｄタグ１１１およびｄｍｄｄタグ１１２それぞれに格納され、「Ｃｏｐｙｒｉｇｈｔ（Ｃ）  Ｆｕｊｉｔｓｕ  ＬＴＤ．ａｎｄ  Ｆｕｊｉｔｓｕ  Ｌａｂｏｒａｔｏｒｉｅｓ  ＬＴＤ．  １９９８」という文字列がｃｐｒｔタグ１１３に格納されている。
【０１０８】
また、上述したように、タッグドエレメントデータ２には、白のＣＩＥＸＹＺ値が、Ｙ＝１．０となるように規格化された値でｗｔｐｔタグ１１４に格納される。図１４には、ディスプレイの色温度として８５００Ｋが求められた場合の例が示されている。８５００Ｋのｘｙ色度値は（ｘ，ｙ）＝（０．２９，０．３１）であり、Ｙ＝１．０としたときのＣＩＥＸＹＺ値（Ｘ，Ｙ，Ｚ）は、以下の各式で算出される。
【０１０９】
Ｘ＝Ｙ（ｘ／ｙ）＝１．０×（０．２９／０．３１）＝０．９３５
・・・（３）
Ｙ＝１．０
・・・（４）
Ｚ＝Ｙ（１−ｘ−ｙ）／ｙ＝１．０×（１−０．２９−０．３１）／０．３１＝１．２９０
・・・（５）
これらの式（３），（４），（５）によって算出された値がＩＣＣプロファイル内に格納される。プロファイル内ではＣＩＥＸＹＺ値は１６ビット（符号１ビット、整数部７ビット、小数部８ビット）で表わされる。演算誤差および１６ビットへの量子化誤差のため、図１４に示したＩＣＣプロファイルにはＣＩＥＸＹＺ値として（０．９２９５５，１．０００００，１．２６２２５７）が格納されている。
【０１１０】
また、上述したように、タッグドエレメントデータ２には、出力装置によって再現可能な色の範囲を示す情報として、赤、緑、青各色のＣＩＥＸＹＺ値が規格化された値が、ｒＸＹＺタグ１１５，ｇＸＹＺタグ１１６，ｂＸＹＺタグ１１７に格納される。図１４には、ＣＲＴディスプレイが再現可能な色の範囲を示す情報が格納された例が示されている。上述したように、ＣＲＴディスプレイが再現可能な色の範囲はｘｙ色度図上で三角形の領域として表され、その三角形の領域の頂点のｘｙ色度値は、メーカによらず、以下に示すようなほぼ一定の値を示す。
【０１１１】
赤：（ｘ，ｙ）＝（０．６３，０．３４）
緑：（ｘ，ｙ）＝（０．２９，０．６１）
青：（ｘ，ｙ）＝（０．１４，０．０７）
これらの値に基づいて、仮にＹ＝１．０となるように規格化したときのＣＩＥＸＹＺ値を算出すると、以下のような値が得られる。
【０１１２】
赤：（Ｘ，Ｙ，Ｚ）＝（１．８５，１．００，０．０９）
緑：（Ｘ，Ｙ，Ｚ）＝（０．４８，１．００，０．１６）
青：（Ｘ，Ｙ，Ｚ）＝（２．００，１．００，１１．３）
ところで、本来求められるべき赤，緑，青の各ＣＩＥＸＹＺ値の和は白のＣＩＥＸＹＺ値に等しいことが必要とされる。このため、仮に算出された各ＣＩＥＸＹＺ値から本来の各ＣＩＥＸＹＺ値を求めるための赤，緑，青それぞれの係数をａ，ｂ，ｃとすると以下の式が成り立つ。
【０１１３】
ａ×赤＋ｂ×緑＋ｃ×青＝白                    ・・・（６）
また、Ｘ，Ｙ，Ｚはそれぞれ独立であるので、この式（６）はＸ，Ｙ，Ｚそれぞれについて成り立つ。従って以下の式が得られる。
【０１１４】
１．８５ａ＋０．４８ｂ＋２．０ｃ＝０．９３    ・・・（７）
ａ＋ｂ＋ｃ＝１．０                            ・・・（８）
０．０９ａ＋０．１６ｂ＋１１．３ｃ＝１．２６  ・・・（９）
これらの式（７），（８），（９）を連立方程式として解くと以下の値が得られる。
【０１１５】
ａ＝０．２２，ｂ＝０．６８，ｃ＝０．１０
従って、本来の赤，緑，青のＣＩＥＸＹＺ値は、以下のように求められる。
【０１１６】
赤：（Ｘ，Ｙ，Ｚ）＝（１．８５，１．００，０．０９）＊０．２２＝（０．４０，０．２２，０．０２）
緑：（Ｘ，Ｙ，Ｚ）＝（０．４８，１．００，０．１６）＊０．６８＝（０．３３，０．６８，０．１１）
青：（Ｘ，Ｙ，Ｚ）＝（２．００，１．００，１１．３）＊０．１０＝（０．２０，０．１０，１．１３）
これらのＣＩＥＸＹＺ値がＩＣＣプロファイルに格納される際には、これらのＣＩＥＸＹＺ値に、上述した白のＣＩＥＸＹＺ値とＤ５０の光源の色温度に相当するＣＩＥＸＹＺ値（（Ｘ，Ｙ，Ｚ）＝（０．９６４２，１．０，０．８２５１）との比が乗算された値が格納される。結局、ｒＸＹＺタグ，ｇＸＹＺタグ，ｂＸＹＺタグに格納される値は以下のように求められる。
【０１１７】
ｒＸＹＺタグの値＝（０．４０＊（０．９６４２／０．９２９５），０．２２＊（１．０／１．０），０．０２＊（０．８２５１／１．２９））＝（０．４１，０．２２，０．０１２）
ｇＸＹＺタグの値＝（０．３３＊（０．９６４２／０．９２９５），０．６８＊（１．０／１．０），０．１１＊（０．８２５１／１．２９）＝（０．３４，０．６８，０．０７）
ｂＸＹＺタグの値＝（０．２０＊（０．９６４２／０．９２９５），０．１＊（１．０／１．０），１．１３＊（０．８２５１／１．２９）＝（０．２１，０．１０，０．７４）
但し、上述した白のＣＩＥＸＹＺ値同様に、プロファイル格納時には演算誤差および量子化誤差が影響するため、図１４に示すプロファイルに格納されている値はここで算出された値とはやや異なっている。
【０１１８】
さらに、タッグドエレメントデータ２には、赤、緑、青各色のγ特性が、ｒＴＲＣタグ１１８，ｇＴＲＣタグ１１９，ｂＴＲＣタグ１２０に格納され、ここでは、入力０、１／２入力、および最大入力それぞれにおける各階調値がγ特性として格納される。また、階調値は最大値を６５５３５とした１６ビットの値で格納される。図１４には、γ係数が２．０であると判定された場合の例が示されており、この場合の階調値は、赤，緑，青とも以下のような階調値である。
【０１１９】
入力０のときの階調値＝０
１／２入力の時の階調値＝（０．５2.0）×６５５３５＝１６３８４
最大入力の時の階調値＝６５５３５
これらの値がｒＴＲＣタグ１１８，ｇＴＲＣタグ１１９，ｂＴＲＣタグ１２０それぞれに格納されている。
【０１２０】
このようにして図６のステップＳ１０９においてＩＣＣプロファイルが生成されると表示特性認識装置の動作は終了する。
【０１２１】
以上で第１実施形態の説明は終了し、以下、そのほかの実施形態について説明する。但し、以下の各実施形態の説明では、第１実施形態とは相違する点のみについて説明する。
【０１２２】
第２実施形態は、第１実施形態がプロファイルを作成したのに対し、あらかじめ複数のプロファイルが作成されて保持されていて、それら複数のプロファイルの中からディスプレイの表示特性にもっとも適したプロファイルが選択される点を除き第１実施形態とほぼ同様の装置である。
【０１２３】
図１５は、第２実施形態の機能ブロック図である。
【０１２４】
この図１５の機能ブロック図には、図５の機能ブロック図に示すプロファイル作成部５６に替えて、プロファイル選択部１２０と、プロファイル保持部１２１が示されており、プロファイル保持部１２１には、複数のプロファイルが保持されており、プロファイル選択部１２０は、ディスプレイ特性判定部５５によって特性保持部５４から取得された特性情報に基づいて、プロファイル保持部１２１に保持されている複数のプロファイルの中から１つのプロファイルを選択する。つまり、特性保持部５４に保持されている特性情報と、プロファイル保持部１２１に保持されているプロファイルとは必ずしも対応づけられている必要はなく、プロファイル選択部１２０は、表示特性を示す値が近いなどといった基準で適切なプロファイルを選択する。
【０１２５】
なお、上記第１実施形態および第２実施形態では、色票の表示と色名の選択が複数回繰り返されるが、本発明の表示特性認識装置は、一連の色票全部を一度にディスプレイ上に表示し、各色票の色名がまとめて入力されるものであってもよい。
【０１２６】
以下、第３実施形態について説明する。第１実施形態が表示特性として色温度を求めるものであるのに対して、この第３実施形態は、表示特性として表示輝度を求めるものである。
【０１２７】
図１６は、第３実施形態の機能ブロック図である。
【０１２８】
この図１６の機能ブロック図には、図５の機能ブロック図に示すディスプレイ特性判定部５５、特性保持部５４、およびプロファイル作成部５６に替えて、輝度判定部１３０が示されており、この輝度判定部１３０によって、色票データ出力部５２から出力された色票のデータと、色名入力部５３に入力された色名とに基づいて輝度が判定される。
【０１２９】
図１７は、第３実施形態の動作手順を表すフローチャートである。
【０１３０】
第３実施形態では、先ず、上述したベツォルト・ブリュッケ現象に基づく色票がディスプレイに表示される（ステップＳ２０１）。上述したように、ベツォルト・ブリュッケ現象では、光の強さを増大させると、青，緑，黄，赤以外の色相全てが青，あるいは黄味を増し、減少させると赤味が増すことが知られており、例えば、橙に見える６００ｎｍの色光を明るくすると、黄味が増大して遂には橙に見えなくなる（以上、「色彩科学事典」日本色彩学会編ｐｐ２２２より引用）。そこで、この第３実施形態では、カテゴリカル色知覚での黄色領域と橙領域との境界付近の色が表示されるような色票が用いられる。
【０１３１】
図１８は、第３実施形態において色票が表示された様子を示す図である。
【０１３２】
この図１８にはディスプレイ３２が示されており、このディスプレイ３２には、表示画面の中央に３つの色票１４０が表示される。これらの色票１４０は、表示色がカテゴリカル色知覚での黄色領域から橙領域に亘るような色票である。これらの色票は予め主観評価実験により、表示輝度と橙の色の見えとの関係が求められており、３つの色票１４０のうち左の色票は、１００ｃｄ／ｍ2 のディスプレイで５０％以上の人が橙であると答えた色票であり、同様に、中央の色票は１５０ｃｄ／ｍ2 、右の色票は２００ｃｄ／ｍ2 で５０％以上の人が橙であると答えた色票である。
【０１３３】
これらの色票１４０の上方には、「下の３つの色を見て下さい。どの色が橙に見えますか？」という文字列１４１が表示され、色票１４０の下方には、「橙に見える色をクリックしてください。」という文字列１４２が表示される。そして、ユーザによって色票かクリックされて選択される（図１７のステップＳ２０２）。
【０１３４】
図１７のステップＳ２０２においてユーザによる選択が行われると、ステップＳ２０３に進み、選択結果に基づいて表示輝度が判定される。ここでの判定は、表示輝度の厳密な値を求めるものではなく、適宜に設定された表示輝度の区分（例えば１５０ｃｄ／ｍ2以上、１００ｃｄ／ｍ2以上、１００ｃｄ／ｍ2未満の３区分など）のうちのいずれの区分に属するかが判定される。このような判定が行われることによって、少ない色票で表示輝度を、実用上充分な程度の精度で決定することができる。
【０１３５】
なお、図１８では、複数の色票が同時に表示されているが、１色ずつ順次に表示されても構わない。
【０１３６】
以下、本発明の表示特性調整装置の実施形態について説明する。この表示特性調整装置の実施形態は、図４に示すコンピュータシステムで構成されており、図４に示すＣＤＲＯＭ４０等は本発明の表示特性調整プログラム記憶媒体の一例である。また、ディスプレイ３２は、表示特性調整装置の一部分であるとともに、表示特性調整装置によって表示特性が調整される対象でもある。表示特性調整装置では、上記表示特性認識装置と同様に色票がディスプレイ３２に表示される。
【０１３７】
図１９は、表示特性調整装置によって色票が表示される様子を示す図である。
【０１３８】
この図１９にはディスプレイ３２が示されており、ディスプレイ３２には、２つの色票１５１，１５２が表示され、これらの色票の上方には「下の２つの色で右側が赤、左側が茶色に見えるように、ディスプレイの赤の調整を行ってください。」という文字列１５３も表示される。
【０１３９】
一般的なディスプレイには、コントラスト、ブライトネス、色温度、ＲＧＢレベル等、ディスプレイの色表示を変更する様々な制御機構が付加されており、この図１９に示すディスプレイ３２には、色表示を変更するための設定ボタン１５４が設けられている。これら設定ボタン１５４がユーザによって操作され、色票の表示色の見えを目安に色表示が調整されることでディスプレイの表示特性が適切に調整される。つまり、ディスプレイの表示特性を他の表示機器の表示特性に合わせることができ、例えば、ネットワークにつながったパーソナルコンピュータのディスプレイや、出張先に持っていったノート型パーソナルコンピュータの液晶画面や、プレゼンテーション用の液晶プロジェクタなどの様々な表示機器の色の見えを合わせることができる。
【０１４０】
より厳密なディスプレイ表示の調整が必要である場合には、ディスプレイの色表示の調整を行うソフトウェアなどを利用することが望ましい。
【０１４１】
図２０は、そのようなソフトウェアを利用してディスプレイ表示の調整を行う場合の表示画面を示す図である。
【０１４２】
この表示画面には、図１９同様な色票１５１，１５２等の表示に加えて、色票１５１，１５２の下方にスライドバー１６０が表示される。ここでは、ユーザによってこのスライドバーが操作されることにより、赤の表示強度が調整される。当然ながら、色票の種類等を変更することにより、赤だけでなく、緑、青についても調整を行うことができる。
【０１４３】
最近のディスプレイボードには、ディスプレイドライバでディスプレイのＲ、Ｇ、Ｂ表示を調整できる機能を備えたものがある。そのようなディスプレイボードの場合には、その機能を使用して表示を調整してもよい。
【０１４４】
【発明の効果】
以上説明したように、本発明の表示特性認識装置によれば、上述したような測色器を所持していない一般的なユーザであっても表示装置の表示特性を求めることができ、本発明の表示特性認識プログラム記憶媒体に記憶されている表示特性認識プログラムは、コンピュータシステムをそのような表示特性認識装置として動作させる。
【０１４５】
また、本発明の表示特性調整装置によれば、上述したような一般的なユーザであっても表示装置の表示特性を適切に調整することができ、本発明の表示特性調整プログラム記憶媒体に記憶されている表示特性認識プログラムは、コンピュータシステムをそのような表示特性調整装置として動作させる。
【図面の簡単な説明】
【図１】ＩＣＣプロファイルの構成図である。
【図２】人間によって知覚される色の分布を示す色度図である。
【図３】表示色の測定結果を示す、ｘｙ色度図（Ａ）およびＣＩＥＬＡＢ空間の色度図（Ｂ）である。
【図４】本発明の表示特性認識装置の第１実施形態を示す図である。
【図５】表示特性認識装置（コンピュータシステム）の機能ブロック図である。
【図６】第１実施形態の動作手順を表すフローチャートである。
【図７】図６のステップＳ１０１においてディスプレイに表示される表示画面を示す図である。
【図８】色票がディスプレイに表示された様子を示す図である。
【図９】一連の色票を表示して境界に相当する色票を選択させる画面を示す図である。
【図１０】色票の周囲が黒色である場合（Ａ）と、灰色である場合（Ｂ）とを示す図である。
【図１１】色票が選択されて表示特性が判定される手順の一例を示す図である。
【図１２】γ特性判別用の画像を示す図である。
【図１３】ディスプレイの入出力特性の一例を表すグラフである。
【図１４】ＩＣＣプロファイルの具体例を示す図である。
【図１５】第２実施形態の機能ブロック図である。
【図１６】第３実施形態の機能ブロック図である。
【図１７】第３実施形態の動作手順を表すフローチャートである。
【図１８】第３実施形態において色票が表示された様子を示す図である。
【図１９】表示特性調整装置によって色票が表示される様子を示す図である。
【図２０】ソフトウェアを利用して調整を行う場合の表示画面を示す図である。
【符号の説明】
３０    表示特性認識装置
３２    ディスプレイ（表示装置）
４０    ＣＤＲＯＭ（記憶媒体）
５１    色票データ保持部
５２    色票データ出力部（信号出力手段）
５３    色名入力部
５４    特性情報保持部
５５    ディスプレイ特性判定部（表示特性同定手段）
５６    プロファイル作成部
７１，８０，・・・，８４，９０，１４０，１５１，１５２    色票
１２０    プロファイル選択部
１２１    プロファイル保持部
１３０    輝度判定部（表示特性同定手段）
【図１】
0004427125.tif 000006
【図２】
0004427125.tif 000007
【図３】
0004427125.tif 000008
【図４】
0004427125.tif 000009
【図５】
0004427125.tif 000010
【図６】
0004427125.tif 000011
【図７】
0004427125.tif 000012
【図８】
0004427125.tif 000013
【図９】
0004427125.tif 000014
【図１０】
0004427125.tif 000015
【図１１】
0004427125.tif 000016
【図１２】
0004427125.tif 000017
【図１３】
0004427125.tif 000018
【図１４】
0004427125.tif 000019
【図１５】
0004427125.tif 000020
【図１６】
0004427125.tif 000021
【図１７】
0004427125.tif 000022
【図１８】
0004427125.tif 000023
【図１９】
0004427125.tif 000024
【図２０】
0004427125.tif 000025